(57)【要約】      （修正有）【課題】組立てが容易で、かつ収納する物品を支持する面積を容易に延伸させて拡張することができるとともに、全体的に整った外観の得られる物品収納棚の構造を提供する。【解決手段】複数の固定部材４と、支持フレーム５とを含んでなる物品の収納棚であって、固定部材は中空で筒状を呈し、筒体の管壁には、筒体の中心点を通過する線上において対向するそれぞれの位置の左右に、左右対称に形成してなる孔部４３と、横断面がＬ字状を呈するように固定部材の管壁に沿って孔部側に折り曲げてなる凸起板４４とを形成してなり、かつ凸起板と孔部との間に形成される空間を第１嵌合空間４１及び第２嵌合空間４２とし、支持フレームは、４つのコーナー部に嵌合板５１をそれぞれ設けてなり、凸起板を第１嵌合空間に嵌合して支持フレームを固定部材に固定する。【選択図】図２
0003197082.tif 000002
【実用新案登録請求の範囲】
【請求項１】
複数の固定部材と、支持フレームとを含んでなる物品の収納棚であって、該固定部材は中空で筒状を呈し、該筒体の管壁には、該筒体の中心点を通過する線上において対向するそれぞれの位置の左右に、左右対称に形成してなる孔部と、横断面がＬ字状を呈するように該固定部材の管壁に沿って該孔部側に折り曲げてなる凸起板とを形成してなり、かつ該凸起板と該孔部との間に形成される空間を第１嵌合空間及び第２嵌合空間とし、
該支持フレームは、４つのコーナー部に嵌合板をそれぞれ設けてなり、該凸起板を該第１嵌合空間に嵌合して該支持フレームを該固定部材に固定
することを特徴とする物品の収納棚の構造。
【請求項２】
前記第１嵌合空間と第２嵌合空間は、縦方向の辺が傾斜して、幅が下方に向かって漸縮するように形成することを特徴とする請求項１に記載の物品の収納棚の構造。
【請求項３】
前記嵌合板の上端縁部の両側がそれぞれ水平方向に延伸して、該凸起板の上端縁部に掛止する掛止部を形成することを特徴とする請求項１に記載の物品の収納棚の構造。
【考案の詳細な説明】
【技術分野】
【０００１】
この考案は、組立が容易で、且つ支持部を自在に延伸できる物品の収納棚の構造に関する。
【背景技術】
【０００２】
従来の組み立て式の物品収納棚は、図１に開示するように、支柱１と、挟持部材２と、支持フレーム３とを具えてなり、支柱１には、適宜な間隔を置いて、浅く形成した複数の嵌合溝１１を外周面に沿って形成する。挟持部材２の内壁には嵌合リブ２１を一体に形成し、支持フレーム３はコーナー部に固定環３１を具える。
【０００３】
上述する構成の物品収納棚を組み立てる場合は、挟持部材２の嵌合リブ２１を支柱１の嵌合溝１１に嵌合させ、支持フレーム３を上から下に向かって嵌設する。即ち、支持フレーム３の固定環３１を支柱１に嵌着する。この場合、固定環３１は内壁が挟持部材２の外周面に緊密に接触して位置決めされる。よって、支持フレーム３が支柱１に固定される。支柱１が４本の場合は、４本のいずれにも同様に支持フレーム３を支柱１に固定して物品収納棚を構成する。
【０００４】
上述する物品収納棚は、支持フレーム３の平衡を保ちつつ組み立てなければならない。係る作業は容易でなく、かつ独りで行うことが難しい。しかも、上述する構成は単一の物品収納棚を組み立てるものであって、単一の物品収納棚を並べて収納する物品を支持する面積を拡張する必要がある場合、個々の物品収納棚を連結して位置決めすることができない。また、個々の物品収納棚の間に隙間が出現するために、全体的に整った外観を得ることができず、さらに外部からの力が加わった場合、それぞれの物品収納棚の位置がずれて離れてしまう。したがって、物品収納棚の理想の形態とは言い難い。
【考案の概要】
【考案が解決しようとする課題】
【０００５】
この考案は、組立てが容易で、かつ収納する物品を支持する面積を容易に延伸させて拡張することができるとともに、全体的に整った外観の得られる物品収納棚の構造を提供することを課題とする。
【課題を解決するための手段】
【０００６】
そこで、本考案者は従来の物品収納棚に見られる欠点に鑑み鋭意研究を重ねた結果、複数の固定部材と、支持フレームとを含んでなる物品の収納棚であって、該固定部材は中空で筒状を呈し、該筒体の管壁には、該筒体の中心点を通過する線上において対向するそれぞれの位置の左右に、左右対称に形成してなる孔部と、横断面がＬ字状を呈するように該固定部材の管壁に沿って該孔部側に折り曲げてなる凸起板とを形成してなり、かつ該凸起板と該孔部との間に形成される空間を第１嵌合空間及び第２嵌合空間とし、該支持フレームは、４つのコーナー部に嵌合板をそれぞれ設けてなり、該凸起板を該第１嵌合空間に嵌合して該支持フレームを該固定部材に固定する物品収納棚の構造によって課題を解決でできる点に着眼し、係る知見に基づいて本考案を完成させた。
【０００７】
以下この考案について説明する。請求項１に記載する物品収納棚の構造は、複数の固定部材と、支持フレームとを含んでなる物品の収納棚であって、該固定部材は中空で筒状を呈し、該筒体の管壁には、該筒体の中心点を通過する線上において対向するそれぞれの位置の左右に、左右対称に形成してなる孔部と、横断面がＬ字状を呈するように該固定部材の管壁に沿って該孔部側に折り曲げてなる凸起板とを形成してなり、かつ該凸起板と該孔部との間に形成される空間を第１嵌合空間及び第２嵌合空間とし、該支持フレームは、４つのコーナー部に嵌合板をそれぞれ設けてなり、該凸起板を該第１嵌合空間に嵌合して該支持フレームを該固定部材に固定する。
【０００８】
請求項２に記載する物品の収納棚の構造は、請求項１における第１嵌合空間と第２嵌合空間の縦方向の辺が傾斜して、幅が下方に向かって漸縮するように形成される。
【０００９】
請求項３に記載する物品の収納棚の構造は、請求項１における嵌合板の上端縁部の両側がそれぞれ水平方向に延伸して、該凸起板の上端縁部に掛止する掛止部を形成する。
【図面の簡単な説明】
【００１０】
【図１】従来の物品収納棚の構造を示した説明図である。
【図２】この考案による物品収納棚の構造を示した説明図である。
【図３】この考案による物品収納棚の構造を示した他の説明図である。
【図４】この考案による物品収納棚を組立てる状態を示した説明図である。
【図５】この考案における固定部材に支持フレームを固定した状態を示した断面図である。
【図６】この考案による物品の収納棚の使用態様を示した説明図である。
【考案を実施するための形態】
【００１１】
この考案は、組立てが容易で、かつ収納する物品を支持する面積を容易に延伸させて拡張することができるとともに、全体的に整った外観の得られる物品収納棚の構造を提供するものであって、複数の固定部材と、支持フレームとを含んでなる物品の収納棚であって、該固定部材は中空で筒状を呈し、該筒体の管壁には、該筒体の中心点を通過する線上において対向するそれぞれの位置の左右に、左右対称に形成してなる孔部と、横断面がＬ字状を呈するように該固定部材の管壁に沿って該孔部側に折り曲げてなる凸起板とを形成してなり、かつ該凸起板と該孔部との間に形成される空間を第１嵌合空間及び第２嵌合空間とし、該支持フレームは、４つのコーナー部に嵌合板をそれぞれ設けてなり、該凸起板を該第１嵌合空間に嵌合して該支持フレームを該固定部材に固定する。係る物品収納棚の構造と特徴を説明するために、具体的な実施例を挙げ、図面を参照にして以下に詳述する。
【実施例】
【００１２】
図２に開示するように、この考案による物品収納棚の構造は、固定部材４と、支持フレーム５とによってなる。
【００１３】
固定部材４は中空で筒状を呈し、管壁には、筒体の中心点を通過する線上において対向するそれぞれの位置の左右には、第１嵌合空間４１と第２嵌合空間４２とを形成する。即ち、筒体の中心点を通過する線上において対向するそれぞれの位置の左右に、例えばプレス加工で固定部材の管壁を打ち出して孔部４３を２つ形成する。２つの孔部４３形状は左右対称に形成し、かつ下辺が短く、上辺が長く、一方の縦方向の辺が傾斜する。
【００１４】
さらに、打ち出した左右部分を横断面がＬ字状を呈するように固定部材４の管壁に沿って孔部４３側に折り曲げて、それぞれ凸起板４４を形成し、かつ凸起板４４と孔部４３との間に形成される空間を第１嵌合空間４１、第２嵌合空間４２とする。よって、第１嵌合空間４１と第２嵌合空間４２とは、２つの孔部４３の形状と同様に左右対称に形成され、かつ下辺が短く、上辺が長く、一方の縦方向の辺が傾斜する
【００１５】
凸起板４４は、水平方向の一端が自由端となり、かつ左右並べて形成される凸起板４４の自由端は、それぞれ異なる方向に形成される。
【００１６】
支持フレーム５は、４つのコーナー部に嵌合板５１をそれぞれ設ける。嵌合板５１は固定部材４の形状に沿って横断面が円弧状を呈するように形成し、かつ下辺を上辺より短くして縦方向の辺が傾斜するように形成する。さらに、嵌合板５１の上端縁部の両側がそれぞれ水平方向に延伸して、掛止部５２を形成する。
【００１７】
固定部材４は図１に開示する、挟持部材２を設けた支柱１に嵌着し、支持フレーム５の嵌合板５１を固定部材４の第１嵌合空間４１に嵌合させる。この場合、掛止部５２が突起板４４の上端縁部に掛止して支持フレーム５が固定部材４に固定されて、単一の物品収納棚が構成される。
【００１８】
第２嵌合空間４２は、他の支持フレーム５の嵌合板５１の嵌合に供する。よって、複数の支持フレーム５を連結することができる。
【００１９】
詳しくは、図３、図４に開示するように、支柱１には浅く形成した複数の嵌合溝１１を外周面に沿って形成し、挟持部材２の内壁には嵌合リブ２１を一体に形成する。組み立てる場合は、挟持部材２の嵌合リブ２１を支柱１の嵌合溝１１に嵌合させ、固定部材４を上から下に向かって嵌設する。この場合、固定部材４は内壁が挟持部材２の外周面に緊密に接触して位置決めされる。
【００２０】
次いで、支持フレーム５の嵌合板５１を固定部材４の第１嵌合空間４１に嵌合させる。第１嵌合空間４１、第２嵌合空間４２は、下方に向かって幅が狭くなるように形成され、かつ支持フレーム５の嵌合板５１も下方に向かって幅が漸縮するように形成するため、嵌合板５１が緊密に嵌合する。この状態において、嵌合板５１は上方に移動することはできるが、下方に向かって移動することができなくなる。さらに、掛止部５２が凸起板４４の上端縁部に掛止して支持フレーム５が固定部材４に固定されて、単一の物品収納棚が構成される。
【００２１】
上述するように、この考案による物品収納棚は支持フレーム５の平衡を保ちつつ組み立てることができるため、独りで組み立てることができ、組立作業を容易にする。また、単一の物品収納棚を複数連結することで、収納する物品を支持する面積を拡張することができ、かつ全体的に整った外観を得ることができる。
【００２２】
図５に開示するように、この考案による物品収納棚を組み立てた状態において、固定部材４は支柱１の固定に供する。支持フレーム５は嵌合板５１を固定部材４の第１嵌合空間４１に、下方に向かって嵌合し、単一の物品収納棚を連結する場合は、他の支持フレーム５の嵌合板５１を固定部材４の第２嵌合空間４２に、下方に向かって嵌合する。この場合、第１嵌合空間４１、第２嵌合空間４２は、下方に向かって幅が狭くなるように形成され、かつ支持フレーム５の嵌合板５１も下方に向かって幅が漸縮するように形成するため、緊密な嵌合が得られ、支持フレーム５が支柱１に固定され、かつ支持フレーム５は堅牢に固定されるため、緩んで揺れたりすることはない。
【００２３】
図６に開示するように、単一の物品収納棚Ａを組み立てた後、必要に応じて物品支持する面積を延伸させ、拡張することができる。この場合、物品収納棚Ａ´を組み立て、さらに支持フレーム５の嵌合板５１を物品収納棚Ａの第２嵌合溝４２に嵌合することによって、物品収納棚Ａと物品収納棚Ａ´とを連結して並べることができる。物品収納棚Ａと物品収納棚Ａ´とは固定部材４によって連結するため、物品収納棚Ａと物品収納棚Ａ´との間に隙間が発生することなく、全体的に整った外観が得られるとともに、外部からの力が加わりいずれかの物品収納棚の位置がずれて外観に影響を与えることがない。
【符号の説明】
【００２４】
１           支柱
１１         嵌合溝
２           挟持部材
２１         嵌合リブ
３           支持フレーム
３１         固定環
４           固定部材
４１         第１嵌合空間
４２         第２嵌合空間
４３         孔部
４４         凸起板
５           支持フレーム
５１         嵌合板
５２         掛止部
Ａ           物品収納棚
Ａ´         物品収納棚
【図１】
0003197082.tif 000003
【図２】
0003197082.tif 000004
【図３】
0003197082.tif 000005
【図４】
0003197082.tif 000006
【図５】
0003197082.tif 000007
【図６】
0003197082.tif 000008